(57)【要約】【課題】簡単操作に対応して、複数の記録番組の中から再生対象となり易い記録番組を選択して再生することが可能な放送受信装置を提供すること。【解決手段】放送受信装置は、設定された記録時間帯において１以上のチャンネル信号に対応した複数番組を記録するように制御する記録制御手段と、前記記録制御手段の制御による所定のチャンネル信号に対応した複数番組の記録中において入力された再生指示の入力タイミングに基づいて記録中の番組の先頭又は記録中の番組の記録開始位置から再生を開始するように制御する再生制御手段と、を備えている。【選択図】図２
2011077894.tif 000002
【特許請求の範囲】
【請求項１】
設定された記録時間帯において１以上のチャンネル信号に対応した複数番組を記録するように制御する記録制御手段と、
前記記録制御手段の制御による所定のチャンネル信号に対応した複数番組の記録中において入力された再生指示の入力タイミングに基づいて記録中の番組の先頭又は記録中の番組の記録開始位置から再生を開始するように制御する再生制御手段と、
を備えた放送受信装置。
【請求項２】
前記再生制御手段は、入力された所定のチャンネルの視聴指示に基づいて、複数のチャンネル信号の中の前記所定のチャンネル信号に対応した視聴番組データを出力し、前記視聴番組データの出力中且つ前記複数のチャンネル信号に対応した複数番組の記録中において入力された前記再生指示の入力タイミングに基づいて、前記所定のチャンネルに属した記録中の番組の先頭又は記録中の番組の記録開始位置から再生を開始するように制御することを特徴とする請求項１に記載の放送受信装置。
【請求項３】
前記再生制御手段は、入力された記録対象外のチャンネルの視聴指示に基づいて、複数のチャンネル信号に含まれない前記記録対象外のチャンネル信号に対応した視聴番組データを出力し、前記視聴番組データの出力中且つ前記複数のチャンネル信号に対応した複数番組の記録中において入力された前記再生指示の入力タイミングに基づいて、複数のチャンネルのうちの前記所定のチャンネルに属した記録中の番組の先頭又は記録中の番組の記録開始位置から再生を開始するように制御することを特徴とする請求項１に記載の放送受信装置。
【請求項４】
前記再生制御手段は、所定の記録番組の再生中において入力された再生停止指示に基づいて、前記所定の記録番組の再生停止ポイントを記憶し、前記所定の記録番組の再生を停止し、入力された再生指示に基づいて、前記再生停止ポイントから前記所定の記録番組を再生するように制御することを特徴とする請求項１に記載の放送受信装置。
【請求項５】
前記再生制御手段は、入力された所定のチャンネルの視聴指示に基づいて、複数のチャンネル信号の中の前記所定のチャンネル信号に対応した視聴番組データを出力し、前記視聴番組データの出力中において入力された再生開始ポイントに基づいて、前記再生開始ポイントから前記所定のチャンネルに属した所定の記録番組を再生するように制御することを特徴とする請求項１に記載の放送受信装置。
【請求項６】
前記再生制御手段は、入力された再生開始ポイントを示すデータを出力するように制御することを特徴とする請求項５に記載の放送受信装置。
【請求項７】
前記再生制御手段は、入力された再生開始ポイントを示すデータを出力してから、前記再生開始ポイントから前記所定のチャンネルに属した前記所定の記録番組を再生するように制御することを特徴とする請求項５に記載の放送受信装置。
【請求項８】
放送信号から、指定されたチャンネル信号を選択する複数のチューナーを備え、
前記記録制御手段は、前記複数のチューナーに対して設定された前記記録時間帯において前記複数のチューナーにより選択された前記複数のチャンネル信号に対応した前記複数番組を記録するように制御し、前記複数の記録番組のうちの、記録後に所定期間経過した記録番組を削除することを特徴とする請求項１に記載の放送受信装置。
【請求項９】
設定された記録時間帯において１以上のチャンネル信号に対応した複数番組を記録するように制御し、
所定のチャンネル信号に対応した複数番組の記録中において入力された再生指示の入力タイミングに基づいて記録中の番組の先頭又は記録開始位置から再生を開始するように制御する放送受信方法。
【発明の詳細な説明】
【技術分野】
【０００１】
本発明は、放送信号を受信し、受信した放送信号に基づき、指定チャンネルの番組映像等を出力する放送受信装置及び放送受信方法に関する。
【背景技術】
【０００２】
近年、デジタルテレビ放送信号を受信し、受信したデジタルテレビ放送信号に基づく番組を記録したり、再生したりすることが可能なテレビ放送受信装置が普及している。例えば、テレビ放送受信装置は、ＨＤＤ又はＤＶＤを使ってデジタルテレビ放送信号に基づく番組を記録することができる。また、テレビ放送受信装置は、デジタルテレビ放送信号からサービス情報を取得し、このサービス情報に基づき番組リストの表示を制御することができる。
【０００３】
さらに、近年、複数チューナーを備えたテレビ放送受信装置が登場しており、その一例として、多チャンネル受信装置が開示されている（特許文献１参照）。例えば、多チャンネル受信装置は、複数チューナーで受信した複数チャンネルに対応した複数番組を記録したり再生したりすることができる。
【先行技術文献】
【特許文献】
【０００４】
【特許文献１】特開２００９−１２４３７９号公報
【発明の概要】
【発明が解決しようとする課題】
【０００５】
ＨＤＤなどの情報記憶媒体の記憶容量は、年々増大している。上記したような複数チューナーを備えたテレビ放送受信装置が、複数チューナーで受信された複数チャンネルに対応した複数番組を次々に大容量ＨＤＤへ記録し、これにより、大容量ＨＤＤには多数の番組が蓄積されることが予想される。番組再生時には、ユーザは、大容量ＨＤＤに蓄積された多数の番組の中から目的の番組を見つけ出して、見つけ出した目的の番組を再生するための操作を行なうことになる。
【０００６】
ところが、上記したような、目的の番組を見つけ出す作業はユーザにとって面倒である。このような面倒な作業からユーザを解放するために、再生対象となり易い番組を簡単操作で再生する技術が求められている。
【０００７】
本発明の目的は、簡単操作に対応して、複数の記録番組の中から再生対象となり易い記録番組を選択して再生することが可能な放送受信装置及び放送受信方法を提供することにある。
【課題を解決するための手段】
【０００８】
本発明の一実施形態に係る放送受信装置は、設定された記録時間帯において１以上のチャンネル信号に対応した複数番組を記録するように制御する記録制御手段と、前記記録制御手段の制御による所定のチャンネル信号に対応した複数番組の記録中において入力された再生指示の入力タイミングに基づいて記録中の番組の先頭又は記録中の番組の記録開始位置から再生を開始するように制御する再生制御手段と、を備えている。
【０００９】
本発明の一実施形態に係る放送受信方法は、設定された記録時間帯において１以上のチャンネル信号に対応した複数番組を記録するように制御し、所定のチャンネル信号に対応した複数番組の記録中において入力された再生指示の入力タイミングに基づいて記録中の番組の先頭又は記録開始位置から再生を開始するように制御する。
【発明の効果】
【００１０】
本発明によれば、簡単操作に対応して、複数の記録番組の中から再生対象となり易い記録番組を選択して再生することが可能な放送受信装置及び放送受信方法を提供できる。
【図面の簡単な説明】
【００１１】
【図１】本発明の一実施形態に係るデジタルテレビジョン放送受信装置の概略構成を示す図である。
【図２】デジタルテレビジョン放送受信装置によるマルチ同時録画の一例を示すとともに、マルチ同時録画の簡単再生の第１例を説明するための図である。
【図３】デジタルテレビジョン放送受信装置によるマルチ同時録画の一例を示すとともに、マルチ同時録画の簡単再生の第２例を説明するための図である。
【図４】デジタルテレビジョン放送受信装置によるマルチ同時録画の一例を示すとともに、マルチ同時録画の簡単再生の第３例を説明するための図である。
【図５】デジタルテレビジョン放送受信装置によるマルチ同時録画の一例を示すとともに、マルチ同時録画の簡単再生の第４例を説明するための図である。
【図６】デジタルテレビジョン放送受信装置によるマルチ同時録画の一例を示すとともに、マルチ同時録画の簡単再生の第５例を説明するための図である。
【図７】再生開始ポイントを示す画面の一例を示す図である。
【発明を実施するための形態】
【００１２】
以下、図面を参照し、本発明の実施形態について説明する。
【００１３】
図１は、本発明の一実施形態に係るデジタルテレビジョン放送受信装置の概略構成を示す図である。図１に示すように、デジタルテレビジョン放送受信装置１は、アンテナ１０１、入力端子１０２、チューナー部１０３、外部入力端子１０４〜１０７、信号処理モジュール１０８、コントローラ１１０、ＯＳＤ信号生成モジュール１１１、グラフィック処理モジュール１１２、映像処理モジュール１１３、音声処理モジュール１１４、操作部１１５、受信部１１７、カードホルダ１１９、カードインターフェース１２０、明るさセンサー１２１、ＬＡＮ端子１２２、通信インターフェース１２３、ＵＳＢ端子１２４、ＵＳＢインターフェース１２５、ｉＬＩＮＫ端子１２６、ｉＬＩＮＫインターフェース１２７、ＨＤＭＩ端子１２８、ＨＤＭＩインターフェース１２９、映像表示部１４１、スピーカ１４２、及びＨＤＤ１５１、１５２を備えている。
【００１４】
さらに、チューナー部１０３は、地上デジタルテレビジョン放送用のチューナー１０３１〜１０３８を備え、さらにＢＳ／ＣＳデジタルテレビジョン放送用のチューナーも備えている。地上デジタルテレビジョン放送用のチューナー１０３１〜１０３８により、地上デジタルテレビジョン放送に対応した地上デジタルテレビジョン放送の番組表を受信し、表示することができる。また、ＢＳ／ＣＳデジタルテレビジョン放送用のチューナーにより、ＢＳ／ＣＳデジタルテレビジョン放送に対応した番組表の表示を受信し、表示することもできる。
【００１５】
また、本実施形態では、図１に示すように、デジタルテレビジョン放送受信装置１が、映像表示部１４１及びスピーカ１４２を備えるケースについて説明する。しかしながら、デジタルテレビジョン放送受信装置１は、このような構成に限定されるものではない。例えば、デジタルテレビジョン放送受信装置１は、映像表示部１４１及びスピーカ１４２を含まない構成であってもよい。つまり、デジタルテレビジョン放送受信装置１は、ＨＤＭＩ等の接続手段を介して映像表示部１４１及びスピーカ１４２と接続する構成であってもよい。
【００１６】
また、本実施形態では、図１に示すように、デジタルテレビジョン放送受信装置１が、ＨＤＤ１５１、１５２を備えるケースについて説明する。しかしながら、デジタルテレビジョン放送受信装置１は、このような構成に限定されるものではない。例えば、デジタルテレビジョン放送受信装置１は、ＨＤＤ１５１、１５２を含まない構成であってもよい。つまり、デジタルテレビジョン放送受信装置１は、ＵＳＢ端子及びＵＳＢインターフェース１２５などの接続手段を介して外部記憶装置（ＨＤＤなど）と接続する構成であってもよい。
【００１７】
また、本実施形態では、図１に示すように、デジタルテレビジョン放送受信装置１が、複数のチューナーを備えるケースについて説明する。しかしながら、デジタルテレビジョン放送受信装置１は、このような構成に限定されるものではない。例えば、デジタルテレビジョン放送受信装置１が、複数のチューナーを含まない構成であってもよい。その場合、例えば、デジタルテレビジョン放送受信装置１は、ＬＡＮ端子１２２を介してＩＰ（Internet Protocol）放送を受信し、ＩＰ放送の複数チャンネルに対応した番組を再生したり、録画したりする構成であってもよい。
【００１８】
以下、デジタルテレビジョン放送受信装置１の詳細について説明する。
【００１９】
地上波放送受信用のアンテナ１０１で受信した地上デジタルテレビジョン放送信号は、入力端子１０２を介してチューナー１０３１〜１０３８に供給され、チューナー１０３１〜１０３８の地上デジタルテレビジョン放送用信号処理部で、所望のチャンネルのデジタルテレビジョン放送信号が選局される。そして、このチューナー１０３１〜１０３８で選局された複数のデジタルテレビジョン放送信号は、ＯＦＤＭ（orthogonal frequency division multiplexing）復調モジュールに供給されて、デジタルの映像信号及び音声信号に復調された後、信号処理モジュール１０８に出力される。
【００２０】
ここで、上記信号処理モジュール１０８は、ＯＦＤＭ復調モジュールから供給されたデジタルの映像信号及び音声信号に対して、選択的に所定のデジタル信号処理を施し、グラフィック処理モジュール１１２及び音声処理モジュール１１４に出力している。
【００２１】
また、上記信号処理モジュール１０８には、例えば４つの入力端子１０４〜１０７が接続されている。これら入力端子１０４〜１０７は、それぞれ、アナログの映像信号及び音声信号を、デジタルテレビジョン放送受信装置１の外部から入力可能とするものである。
【００２２】
そして、この信号処理モジュール１０８は、各入力端子１０４〜１０７からそれぞれ供給されたアナログの映像信号及び音声信号を選択的にデジタル化し、このデジタル化された映像信号及び音声信号に対して所定のデジタル信号処理を施した後、グラフィック処理モジュール１１２及び音声処理モジュール１１４に出力している。
【００２３】
このうち、グラフィック処理モジュール１１２は、信号処理モジュール１０８から供給されるデジタルの映像信号に、ＯＳＤ（on screen display）信号生成モジュール１１１で生成されるＯＳＤ信号を重畳して出力する機能を有する。このグラフィック処理モジュール１１２は、信号処理モジュール１０８の出力映像信号と、ＯＳＤ信号生成モジュール１１１の出力ＯＳＤ信号とを選択的に出力すること、また、両出力をそれぞれ画面の半分を構成するように組み合わせて出力することができる。
【００２４】
そして、グラフィック処理モジュール１１２から出力されたデジタルの映像信号は、映像処理モジュール１１３に供給される。映像処理モジュール１１３により処理された映像信号は、映像表示部１４１に供給される。映像表示部１４１は、映像信号に基づく映像を表示する。
【００２５】
また、上記音声処理モジュール１１４は、入力されたデジタルの音声信号を、スピーカ１４２で再生可能なフォーマットのアナログ音声信号に変換した後、スピーカ１４２に出力して音声再生させる。
【００２６】
ここで、このデジタルテレビジョン放送受信装置１は、上記した各種の受信動作を含むその全ての動作をコントローラ１１０によって統括的に制御されている。コントローラ１１０は、ＣＰＵ（central processing unit）等を備え、操作部１１５からの操作情報（各種指示）、または、リモートコントローラ１１６から送出され受光部１１７を介して受信した操作情報（各種指示）を受けて、その操作内容が反映されるように各モジュール等をそれぞれ制御する。
【００２７】
また、コントローラ１１０は、ＣＰＵが実行する制御プログラムを格納したＲＯＭ（read only memory）１１０１と、ＣＰＵに作業エリアを提供するＲＡＭ（random access memory）１１０２と、各種の設定情報及び制御情報等が格納される不揮発性メモリ１１０３とを備えている。
【００２８】
また、コントローラ１１０は、カードインターフェース１２０を介して、メモリカード１１８が装着可能なカードホルダ１１９に接続されている。これによって、コントローラ１１０は、カードホルダ１１９に装着されたメモリカード１１８と、カードインターフェース１２０を介して、情報伝送を行なうことができる。
【００２９】
また、上記コントローラ１１０は、通信インターフェース１２３を介してＬＡＮ端子１２２と接続されている。これにより、コントローラ１１０は、ＬＡＮ端子２１に接続されたＬＡＮ対応機器と、通信インターフェース１２３を介して情報伝送を行なうことができる。この場合、コントローラ１１０は、ＤＨＣＰ（dynamic host configuration protocol）サーバ機能を有し、ＬＡＮ端子１２２に接続されたＬＡＮ対応機器にＩＰ（internet protocol）アドレスを割り当てて制御している。
【００３０】
さらに、上記コントローラ１１０は、ＨＤＭＩインターフェース１２９を介してＨＤＭＩ端子１２８と接続されている。これにより、コントローラ１１０は、ＨＤＭＩ端子１２８に接続されたＨＤＭＩ対応機器と、ＨＤＭＩインターフェース１２９を介して情報伝送を行なうことができる。
【００３１】
そして、上記コントローラ１１０は、ＵＳＢインターフェース１２５を介してＵＳＢ端子１２４と接続されている。これにより、コントローラ１１０は、ＵＳＢ端子１２４に接続されたＵＳＢ対応機器と、ＵＳＢインターフェース１２５を介して情報伝送を行なうことができる。
【００３２】
さらに、上記コントローラ１１０は、ｉＬＩＮＫインターフェース１２７を介してｉＬＩＮＫ端子１２６と接続されている。これにより、コントローラ１１０は、ｉＬＩＮＫ端子１２６に接続されたｉＬＩＮＫ対応機器と、ｉＬＩＮＫインターフェース１２７を介して情報伝送を行なうことができる。
【００３３】
さらに、上記コントローラ１１０は、明るさセンサー１２１からの明るさ検出信号を受信するように構成されている。これにより、コントローラ１１０は、明るさ検出信号に基づき、映像及びバックライトの明るさ等を制御することができる。
【００３４】
さらに、上記コントローラ１１０は、チューナー部１０３により選局されデスクランブルされた放送信号を、ＨＤＤ１５１、１５２、或いはＬＡＮ端子１２２又はＵＳＢ端子１２４を介して接続された外部記憶装置（ＨＤＤなど）へ録画するための録画動作を制御することもできる。なお、上記したように、チューナー部１０３は、複数のチューナーを備えているので、同時に、複数チャンネルの番組を録画したり、複数チャンネルの番組を表示したりすることができる。例えば、デジタルテレビジョン放送受信装置１は、ハイビジョンレベルの画質で複数チャンネル（指定された複数チャンネル）の１週間分（例えば１週間分の指定された時間帯）の全番組を録画することが可能となる。このような録画をマルチ同時録画と称する。なお、デジタルテレビジョン放送受信装置１は、上記したマルチ同時録画を実現するために、複数チャンネルに対応した複数チューナー１０３１〜１０３８を備えており、更に、スクランブル放送に対応するために、複数チューナー１０３１〜１０３８に対応した複数のデスクランブル用のカードを挿入するための複数のカードスロットも備えている。
【００３５】
次に、図２〜図６を参照して、デジタルテレビジョン放送受信装置による所定のマルチ同時録画について説明する。例えば、デジタルテレビジョン放送受信装置の不揮発性メモリ１１０３が、ユーザにより設定された所定のマルチ同時録画設定情報を記憶している場合、コントローラ１１０は、所定のマルチ同時録画設定情報に基づき所定のマルチ同時録画を制御する。
【００３６】
例えば、所定のマルチ同時録画設定情報が、チャンネル０１１を１９：００〜２２：００まで録画する第１の録画情報、チャンネル０２１を１９：００〜２２：００まで録画する第２の録画情報、及びチャンネル０３１を１９：００〜２２：００まで録画する第３の録画情報を含むとする。図２、図３、図５、図６に示すように、コントローラ１１０は、第１の録画情報に基づき、１９：００〜２２：００の間、チャンネル０１１の信号の選択を制御し、また、第２の録画情報に基づき、１９：００〜２２：００の間、チャンネル０２１の信号の選択を制御し、第３の録画情報に基づき、１９：００〜２２：００の間、チャンネル０３１の信号の選択を制御する。コントローラ１１０の信号選択制御に基づき、チューナー１０３１は、１９：００〜２２：００の間、放送信号からチャンネル０１１の信号を選択し、信号処理モジュール１０８へチャンネル０１１の信号を入力し、また、チューナー１０３２が、１９：００〜２２：００の間、放送信号からチャンネル０２１の信号を選択し、信号処理モジュール１０８へチャンネル０２１の信号を入力し、また、チューナー１０３３が、１９：００〜２２：００の間、放送信号からチャンネル０３１の信号を選択し、信号処理モジュール１０８へチャンネル０３１の信号を入力する。
【００３７】
信号処理モジュール１０８は、チャンネル０１１の信号、チャンネル０２１の信号、及びチャンネル０３１の信号をデスクランブルし、コントローラ１１０は、デスクランブルされたチャンネル０１１の信号、チャンネル０２１の信号、及びチャンネル０３１の信号に対応した各番組データをＨＤＤ１５１へ記録するように制御する。
【００３８】
例えば、図２、図５、図６に示すように、チャンネル０１１の１９：００〜２０：００に番組０１１−１が放送され、２０：００〜２２：００に番組０１１−２が放送されている場合には、ＨＤＤ１５１は、番組０１１−１の全部と番組０１１−２の全部とを記録する。また、チャンネル０２１の１９：００〜２１：００には番組０２１−１が放送され、２１：００〜２２：００には番組０２１−２が放送されている場合には、ＨＤＤ１５１は、番組０２１−１の全部と、番組０２１−２の全部とを記録する。また、チャンネル０３１の１９：００〜２０：００には番組０３１−１が放送され、２０：００〜２１：００には番組０３１−２が放送され、２１：００〜２２：００には番組０３１−３が放送されている場合には、ＨＤＤ１５１は、番組０３１−１の全部と、番組０３１−２の全部と、番組０３１−３の全部とを記録する。つまり、ＨＤＤ１５１は、１９：００〜２２：００の間、チャンネル０１１の信号に対応した各番組を記録し続け、１９：００〜２２：００の間、チャンネル０２１の信号に対応した各番組を記録し続け、１９：００〜２２：００の間、チャンネル０３１の信号に対応した各番組を記録し続ける。なお、１台のＨＤＤ１５１で、３チャンネルの同時録画に対応できない場合には、ＨＤＤ１５１が２チャンネルを同時録画しＨＤＤ１５２が残りの１チャンネルを同時録画することもできる。
【００３９】
また、図３に示すように、チャンネル０１１の１９：００〜２０：００に番組０１１−１が放送され、２０：００〜２２：００に番組０１１−２が放送されている場合には、ＨＤＤ１５１は、番組０１１−１の全部と番組０１１−２の全部とを記録する。また、チャンネル０２１の１９：００〜２１：００には番組０２１−１が放送され、２１：００〜２２：００には番組０２１−２が放送されている場合には、ＨＤＤ１５１は、番組０２１−１の全部と、番組０２１−２の全部とを記録する。また、チャンネル０３１の１８：３０〜２０：００に番組０３１−１が放送され、２０：００〜２１：００には番組０３１−２が放送され、２１：００〜２２：００には番組０３１−３が放送されている場合には、ＨＤＤ１５１は、番組０３１−１の一部（番組０３１−１の１９：００〜２０：００の部分）と、番組０３１−２の全部と、番組０３１−３の全部とを記録する。
【００４０】
コントローラ１１０は、上記した所定のマルチ同時録画設定に基づき、毎日（又は月曜〜金曜、又は月曜日〜土曜日）、１９：００〜２２：００の間、チャンネル０１１のチャンネル信号に対応した各番組を記録するように制御し、チャンネル０２１のチャンネル信号に対応した各番組を記録するように制御し、チャンネル０３１のチャンネル信号に対応した各番組を記録するように制御する。
【００４１】
さらに、コントローラ１１０は、例えば、上記マルチ同時録画により記録された録画番組のうち、記録日時から１週間を超えた録画番組を削除する。或いは、コントローラ１１０は、例えば、ＨＤＤ１５１の残容量が所定容量以下になった場合に、上記マルチ同時録画により記録された録画番組のうち、最も古い録画番組から順に削除する。
【００４２】
次に、図２を参照して、マルチ同時録画の簡単再生の第１例について説明する。例えば、コントローラ１１０は、リモートコントローラ１１６等を介して入力されたチャンネル０３１の視聴指示（選局操作）に基づいて、チャンネル０３１の信号の選択を制御する。これに対応して、チューナー１０３８は、放送信号から、チャンネル０３１の信号を選択し、信号処理モジュール１０８へ入力する。なお、上記したように、マルチ同時録画のために、チューナー１０３２がチャンネル０３１の信号を選択することから、ここでも、チューナー１０３２が放送信号から、チャンネル０３１の信号を選択するようにしてもよい。信号処理モジュール１０８は、チャンネル０３１の信号をデスクランブルし、チャンネル０３１の信号に対応した番組のビデオ信号をグラフィックモジュール１１２、映像処理モジュール１１３を介して、映像表示部１４１へ出力し、チャンネル０２１の信号に対応した番組のオーディオ信号を音声処理モジュール１１４を介して、スピーカ１４２へ出力する。これにより、映像表示部１４１は、チャンネル０２１の信号に対応した番組の映像を表示し、また、スピーカ１４２は、チャンネル０２１の信号に対応した番組の音声を出力する。
【００４３】
上記した所定のマルチ同時録画設定情報に基づき所定のマルチ同時録画が実行され、且つ上記したチャンネル０３１の再生（視聴）が実行されていることを前提として、リモートコントローラ１１６等を介して入力された前スキップの指示（以下、再生指示と称し、例えば１２／３１の２１：３０に入力された再生指示）に基づいて、コントローラ１１０は、所定のマルチ同時録画により記録された複数の録画番組（例えば１週間分（１２／２５〜１２／３１）の録画番組０１１−１、０１１−２、０２１−１、０２１−２、０３１−１、０３１−２、０３１−３）のうち、現在視聴中のチャンネル（チャンネル０３１）に属した録画中の番組（１２／３１の録画番組０３１−３）の先頭から再生を開始するように制御する。この場合、録画番組０３１−３は先頭から録画されているので、録画番組０３１−３の先頭から再生が開始される。
【００４４】
次に、図３を参照して、マルチ同時録画の簡単再生の第２例について説明する。例えば、図３に示すように、録画番組０３１−１が途中から録画されている場合であって、１２／３１の１９：３０の時点で、リモートコントローラ１１６等を介して再生指示が入力されると、コントローラ１１０は、所定のマルチ同時録画により記録された複数の録画番組（例えば１週間分（１２／２５〜１２／３１）の録画番組０１１−１、０１１−２、０２１−１、０２１−２、０３１−１、０３１−２、０３１−３）のうち、現在視聴中のチャンネル（チャンネル０３１）に属した録画中の番組（１２／３１の録画番組０３１−１）の記録開始位置（１９：００の位置）から再生を開始するように制御する。この場合、録画番組０３１−３は最初から録画されていないため、録画番組０３１−１は、再生可能ポイント（記録開始位置）から再生が開始される。
【００４５】
上記説明では、３チャンネルのマルチ同時録画における簡単再生について説明したが、この簡単再生は１チャンネルの録画時にも適用できる。即ち、本実施形態に記載のマルチ同時録画は、複数チャンネルの同時録画だけでなく、１チャンネルの録画も含む。言い換えると、マルチ同時録画は、１チャンネル以上の同時録画を意味する。
【００４６】
例えば、所定のマルチ同時録画設定情報が、チャンネル０３１を１９：００〜２２：００まで録画する第３の録画情報だけを含むとする。つまり、ＨＤＤ１５１が、番組０３１−１の全部と、番組０３１−２の全部と、番組０３１−３の全部とを記録する、或いは、ＨＤＤ１５１が、番組０３１−１の一部（１９：００〜２０：００の部分）と、番組０３１−２の全部と、番組０３１−３の全部とを記録する。
【００４７】
チャンネル０３１の再生（視聴）が実行されている、或いはチャンネル０３１以外のチャンネルの再生が実行されている場合に、リモートコントローラ１１６等を介して入力された再生指示（例えば１２／３１の２１：３０に入力された再生指示）に基づいて、コントローラ１１０は、録画中の番組（１２／３１の録画番組０３１−３）の先頭から再生を開始するように制御する。或いは、リモートコントローラ１１６等を介して入力された再生指示（例えば１２／３１の１９：３０に入力された再生指示）に基づいて、コントローラ１１０は、録画中の番組（１２／３１の録画番組０３１−１）の記録開始位置（１９：００の位置）から再生を開始するように制御する。
【００４８】
次に、図４を参照して、マルチ同時録画の簡単再生の第３例について説明する。例えば、所定のマルチ同時録画設定情報が、チャンネル０２１を１９：００〜２２：００まで録画する第２の録画情報、及びチャンネル０３１を１９：００〜２２：００まで録画する第３の録画情報を含むとする。図４に示すように、コントローラ１１０は、第２の録画情報に基づき、１９：００〜２２：００の間、チャンネル０２１の信号の選択を制御し、第３の録画情報に基づき、１９：００〜２２：００の間、チャンネル０３１の信号の選択を制御する。コントローラ１１０は、上記した所定のマルチ同時録画設定に基づき、毎日（又は月曜〜金曜、又は月曜日〜土曜日）、１９：００〜２２：００の間、チャンネル０２１のチャンネル信号に対応した各番組を記録するように制御し、チャンネル０３１のチャンネル信号に対応した各番組を記録するように制御する。
【００４９】
上記した所定のマルチ同時録画が実行され、且つ上記したチャンネル０１１の再生（視聴）が実行されていることを前提として、リモートコントローラ１１６等を介して入力された前スキップの指示（以下、再生指示と称し、例えば１２／３１の２１：３０に入力された再生指示）に基づいて、コントローラ１１０は、所定のマルチ同時録画により記録された複数の録画番組（例えば１週間分（１２／２５〜１２／３１）の録画番組０１１−１、０１１−２、０２１−１、０２１−２、０３１−１、０３１−２、０３１−３）のうち、所定のチャンネル（チャンネル０２１）に属した録画中の番組（１２／３１の録画番組０２１−２）の先頭から再生を開始するように制御する。この場合、録画番組０２１−２は先頭から録画されているので、録画番組０２１−２の先頭から再生が開始される。もし、録画番組０２１−２が途中から録画されている場合には、録画番組０２１−２の途中（記録開始位置）から再生が開始される。例えば、上記した所定のチャンネルとは、所定のマルチ同時録画の対象となっているチャンネルであって、且つ最も小さいチャンネル番号（サービスＩＤ）のチャンネルである。図４のケースでは、チャンネル０２１とチャンネル０３１とがマルチ同時録画の対象となっており、チャンネル番号の小さいチャンネル０２１が所定のチャンネルに該当する。
【００５０】
次に、図５を参照して、マルチ同時録画の簡単再生の第４例について説明する。例えば、所定のマルチ同時録画設定情報が、チャンネル０１１を１９：００〜２２：００まで録画する第１の録画情報、チャンネル０２１を１９：００〜２２：００まで録画する第２の録画情報、及びチャンネル０３１を１９：００〜２２：００まで録画する第３の録画情報を含むとする。上記した所定のマルチ同時録画設定情報に基づく所定のマルチ同時録画が実行されているとする。
【００５１】
その上で、録画番組０２１−１の再生途中で、リモートコントローラ１１６等を介して再生停止指示が入力されると、コントローラ１１０は、入力された再生停止指示に基づいて、録画番組０２１−１の再生停止ポイント（レジュームポイント）を不揮発性メモリ１１０３へ記録し、録画番組０２１−１の再生を停止する。なお、コントローラ１１０は、再生停止指示が２回入力された場合には、不揮発性メモリ１１０３に記録された再生停止ポイント（レジュームポイント）を消去する。
【００５２】
上記したように、録画番組０２１−１の再生途中で、リモートコントローラ１１６等を介して再生停止指示が入力されると、録画番組０２１−１の再生前の状態へ遷移する。例えば、例えばチャンネル０２１の視聴状態へ遷移する。つまり、コントローラ１１０は、チャンネル０２１の番組再生のための信号を出力するように制御する。これに対応して、映像表示部１４１及びスピーカ１４２により、チャンネル０２１の番組の映像及び音声が出力される。
【００５３】
この後、例えば、リモートコントローラ１１６等を介してチャンネル０３１の視聴指示が入力されると、コントローラ１１０は、リモートコントローラ１１６等を介して入力されたチャンネル０３１の視聴指示に基づいて、チャンネル０３１の番組再生のための信号を出力するように制御する。この状態で、つまりチャンネル０３１の番組の映像及び音声が出力されている状態で、リモートコントローラ１１６等を介して再生指示が入力されると、コントローラ１１０は、不揮発性メモリ１１０３に記憶された録画番組０２１−１の再生停止ポイント（レジュームポイント）に基づき、録画番組０２１−１を再生停止ポイントから再生するように制御する。これにより、番組０２１−１の再生が再生停止ポイントから再生される。
【００５４】
次に、図６を参照して、マルチ同時録画の簡単再生の第５例について説明する。図６に示すように、デジタルテレビジョン放送受信装置は、指定された再生開始ポイントから録画番組を再生することもできる。例えば、チャンネル０３１の現在放送中の番組が再生されている状態（チャンネル０３１の視聴状態）で、リモートコントローラ１１６等を介して再生開始ポイント（再生日時）が指定されると、コントローラ１１０は、現在視聴中のチャンネル（チャンネル０３１）に属した録画番組を再生開始ポイントから再生する。例えば、リモートコントローラ１１６等を介して再生開始ポイント（１２／２８の２０：３０）が指定されるとコントローラ１１０は、現在視聴中のチャンネル（チャンネル０３１）に属した録画番組（録画番組０３１−２）を再生開始ポイント（１２／２８の２０：３０）から再生する。
【００５５】
さらに、コントローラ１１０は、再生開始ポイントを示す情報を再生するように制御することもできる。例えば、デジタルテレビジョン放送受信装置１は、図７に示す画面（再生開始ポイントを示す画面）を表示してから、現在視聴中のチャンネル（チャンネル０３１）に属した録画番組を再生開始ポイントから再生する。なお、図７に示すように、再生開始ポイントを示す画面は、再生開始ポイントを示す情報（１２／２８（火）ＰＭ８：３０）及び過去の番組（録画番組）を再生することを示すアイコンを含む。
【００５６】
以上により、デジタルテレビジョン放送受信装置１は、簡単操作に対応して、複数の記録番組の中から再生対象となり易い記録番組を選択して再生することができる。
【００５７】
例えば、デジタルテレビジョン放送受信装置１は、再生停止ポイント（レジュームポイント）が記録されてなく、所定のチャンネルの再生中には、マルチ同時録画により連続録画された複数の録画番組の中から、この所定のチャンネルに属する現在録画中の番組の先頭又は記録開始位置から再生を開始することができる。
【００５８】
また、デジタルテレビジョン放送受信装置１は、所定の録画番組における再生停止ポイント（レジュームポイント）が記録されている場合には、所定の録画番組を再生停止ポイントから再生することができる。
【００５９】
また、デジタルテレビジョン放送受信装置は、所定のチャンネルが視聴された状態で、再生開始ポイントが入力された場合には、所定のチャンネルに属した録画番組を再生開始ポイントから再生することができる。
【００６０】
上記のように、デジタルテレビジョン放送受信装置は、再生停止ポイント（レジュームポイント）が記録されているか否かにより、再生開始ポイントを変えることができる。これにより、デジタルテレビジョン放送受信装置は、高い確率で、ユーザが希望する録画番組を再生することができる。また、デジタルテレビジョン放送受信装置は、再生停止ポイント（レジュームポイント）が記録されているか否かに関係なく、入力された再生開始ポイントから番組を再生することができる。これにより、デジタルテレビジョン放送受信装置は、ユーザが希望した日時から録画番組を再生することができる。
【００６１】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００６２】
１…デジタルテレビジョン放送受信装置、１０１…アンテナ、１０２…入力端子、１０３…チューナー部、１０４〜１０７…外部入力端子、１０８…信号処理モジュール、１１０…コントローラ、１１１…ＯＳＤ信号生成モジュール、１１２…グラフィック処理モジュール、１１３…映像処理モジュール、１１４…音声処理モジュール、１１５…操作部、１１７…受信部、１１９…カードホルダ、１２０…カードインターフェース、１２１…明るさセンサー、１２２…ＬＡＮ端子、１２３…通信インターフェース、１２４…ＵＳＢ端子、１２５…ＵＳＢインターフェース、１２６…ｉＬＩＮＫ端子、１２７…ｉＬＩＮＫインターフェース、１２８…ＨＤＭＩ端子、１２９…ＨＤＭＩインターフェース、１４１…映像表示部、１４２…スピーカ、１５１、１５２…ＨＤＤ
【図１】
2011077894.tif 000003
【図２】
2011077894.tif 000004
【図３】
2011077894.tif 000005
【図４】
2011077894.tif 000006
【図５】
2011077894.tif 000007
【図６】
2011077894.tif 000008
【図７】
2011077894.tif 000009
【手続補正書】
【提出日】平成23年1月17日(2011.1.17)
【手続補正２】
【補正対象書類名】特許請求の範囲
【補正対象項目名】全文
【補正方法】変更
【補正の内容】
【特許請求の範囲】
【請求項１】
設定された記録時間帯において複数のチャンネル信号に対応した複数番組を記録するように制御する記録制御手段と、
入力された所定のチャンネルの視聴指示に基づいて、前記複数のチャンネル信号の中の所定のチャンネル信号にて前記記録時間帯に放送され記録対象となる複数番組のうちの放送中の番組の視聴番組データを出力し、この視聴番組データの出力中且つ前記記録制御手段の制御による前記複数のチャンネル信号に対応した複数番組の記録中において入力された再生指示の入力タイミングで前記所定のチャンネル信号に属した記録中の番組の先頭から再生を開始するように制御する再生制御手段と、
を備えた放送受信装置。
【請求項２】
前記再生制御手段は、入力された記録対象外のチャンネルの視聴指示に基づいて、前記複数のチャンネル信号に含まれない前記記録対象外のチャンネル信号に対応した視聴番組データを出力し、この視聴番組データの出力中且つ前記複数のチャンネル信号に対応した複数番組の記録中において入力された前記再生指示の入力タイミングで前記複数のチャンネル信号の中の前記所定のチャンネル信号に属した記録中の番組の先頭又は記録中の番組の記録開始位置から再生を開始するように制御することを特徴とする請求項１に記載の放送受信装置。
【請求項３】
前記再生制御手段は、所定の記録番組の再生中において入力された再生停止指示に基づいて、前記所定の記録番組の再生停止ポイントを記憶し、前記所定の記録番組の再生を停止し、入力された再生指示に基づいて、前記再生停止ポイントから前記所定の記録番組を再生するように制御することを特徴とする請求項１に記載の放送受信装置。
【請求項４】
前記再生制御手段は、入力された所定のチャンネルの視聴指示に基づいて、前記複数のチャンネル信号の中の前記所定のチャンネル信号にて前記記録時間帯に放送され記録対象となる複数番組のうちの放送中の番組の視聴番組データを出力し、この視聴番組データの出力中において入力された再生開始ポイントに基づいて、前記再生開始ポイントから前記所定のチャンネル信号に属した所定の記録番組を再生するように制御することを特徴とする請求項１に記載の放送受信装置。
【請求項５】
前記再生制御手段は、入力された再生開始ポイントを示すデータを出力するように制御することを特徴とする請求項４に記載の放送受信装置。
【請求項６】
前記再生制御手段は、入力された再生開始ポイントを示すデータを出力してから、前記再生開始ポイントから前記所定のチャンネル信号に属した前記所定の記録番組を再生するように制御することを特徴とする請求項４に記載の放送受信装置。
【請求項７】
放送信号から、指定されたチャンネル信号を選択する複数のチューナーを備え、
前記記録制御手段は、前記複数のチューナーに対して設定された前記記録時間帯において前記複数のチューナーにより選択された前記複数のチャンネル信号に対応した前記複数番組を記録するように制御し、前記複数の記録番組のうちの、記録後に所定期間経過した記録番組を削除することを特徴とする請求項１に記載の放送受信装置。
【手続補正３】
【補正対象書類名】明細書
【補正対象項目名】０００１
【補正方法】変更
【補正の内容】
【０００１】
本発明は、放送信号を受信し、受信した放送信号に基づき、指定チャンネルの番組映像等を出力する放送受信装置に関する。
【手続補正４】
【補正対象書類名】明細書
【補正対象項目名】０００７
【補正方法】変更
【補正の内容】
【０００７】
本発明の目的は、簡単操作に対応して、複数の記録番組の中から再生対象となり易い記録番組を選択して再生することが可能な放送受信装置を提供することにある。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
本発明によれば、簡単操作に対応して、複数の記録番組の中から再生対象となり易い記録番組を選択して再生することが可能な放送受信装置を提供できる。
【手続補正７】
【補正対象書類名】明細書
【補正対象項目名】００６１
【補正方法】変更
【補正の内容】
【００６１】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
以下に、本出願の出願当初の特許請求の範囲に記載された発明を付記する。
［１］
設定された記録時間帯において１以上のチャンネル信号に対応した複数番組を記録するように制御する記録制御手段と、
前記記録制御手段の制御による所定のチャンネル信号に対応した複数番組の記録中において入力された再生指示の入力タイミングに基づいて記録中の番組の先頭又は記録中の番組の記録開始位置から再生を開始するように制御する再生制御手段と、
を備えた放送受信装置。
［２］
前記再生制御手段は、入力された所定のチャンネルの視聴指示に基づいて、複数のチャンネル信号の中の前記所定のチャンネル信号に対応した視聴番組データを出力し、前記視聴番組データの出力中且つ前記複数のチャンネル信号に対応した複数番組の記録中において入力された前記再生指示の入力タイミングに基づいて、前記所定のチャンネルに属した記録中の番組の先頭又は記録中の番組の記録開始位置から再生を開始するように制御することを特徴とする［１］に記載の放送受信装置。
［３］
前記再生制御手段は、入力された記録対象外のチャンネルの視聴指示に基づいて、複数のチャンネル信号に含まれない前記記録対象外のチャンネル信号に対応した視聴番組データを出力し、前記視聴番組データの出力中且つ前記複数のチャンネル信号に対応した複数番組の記録中において入力された前記再生指示の入力タイミングに基づいて、複数のチャンネルのうちの前記所定のチャンネルに属した記録中の番組の先頭又は記録中の番組の記録開始位置から再生を開始するように制御することを特徴とする［１］に記載の放送受信装置。
［４］
前記再生制御手段は、所定の記録番組の再生中において入力された再生停止指示に基づいて、前記所定の記録番組の再生停止ポイントを記憶し、前記所定の記録番組の再生を停止し、入力された再生指示に基づいて、前記再生停止ポイントから前記所定の記録番組を再生するように制御することを特徴とする［１］に記載の放送受信装置。
［５］
前記再生制御手段は、入力された所定のチャンネルの視聴指示に基づいて、複数のチャンネル信号の中の前記所定のチャンネル信号に対応した視聴番組データを出力し、前記視聴番組データの出力中において入力された再生開始ポイントに基づいて、前記再生開始ポイントから前記所定のチャンネルに属した所定の記録番組を再生するように制御することを特徴とする［１］に記載の放送受信装置。
［６］
前記再生制御手段は、入力された再生開始ポイントを示すデータを出力するように制御することを特徴とする［５］に記載の放送受信装置。
［７］
前記再生制御手段は、入力された再生開始ポイントを示すデータを出力してから、前記再生開始ポイントから前記所定のチャンネルに属した前記所定の記録番組を再生するように制御することを特徴とする［５］に記載の放送受信装置。
［８］
放送信号から、指定されたチャンネル信号を選択する複数のチューナーを備え、
前記記録制御手段は、前記複数のチューナーに対して設定された前記記録時間帯において前記複数のチューナーにより選択された前記複数のチャンネル信号に対応した前記複数番組を記録するように制御し、前記複数の記録番組のうちの、記録後に所定期間経過した記録番組を削除することを特徴とする［１］に記載の放送受信装置。
［９］
設定された記録時間帯において１以上のチャンネル信号に対応した複数番組を記録するように制御し、
所定のチャンネル信号に対応した複数番組の記録中において入力された再生指示の入力タイミングに基づいて記録中の番組の先頭又は記録開始位置から再生を開始するように制御する放送受信方法。